(57)【要約】【課題】施工作業が大がかりでなくコンパクトで施工し易いものとし、平面駐車場の駐車枠の上部の空間を有効利用して駐車枠上部の宿泊施設を提供する。【解決手段】平面駐車場Ｘに枠組みされた駐車枠に、その駐車枠に則した四隅及び駐車枠の長さ方向の中間位置にそれぞれ支柱１１を立設し、この各支柱１１に、駐車枠の形状に則しかつ当該駐車枠に駐車した車Ｃからの乗降を可能にする高さに設定された床部分を保持する。そして、床部分に、枠体に囲まれた簡易で宿泊可能な宿泊施設体１３を設けるとともに、駐車枠上部の宿泊施設体１３への昇降を可能とする階段２６を設けている。【選択図】図１
2019105114.tif 000002
【特許請求の範囲】
【請求項１】
平面駐車場に枠組みされた駐車枠には、その駐車枠に則した少なくとも四隅にそれぞれ支柱が立設され、
この各支柱には、前記駐車枠の形状に則しかつ当該駐車枠に駐車した車からの乗降を可能にする高さに設定された床部分が保持されており、
前記床部分は、枠体に囲まれた簡易に宿泊可能な宿泊施設体を備えているとともに、前記駐車枠上部の前記宿泊施設体への昇降を可能とする階段を備えていることを特徴とする駐車枠上部の宿泊施設。
【請求項２】
前記平面駐車場には直列に隣接する複数の駐車枠が枠組みされ、
前記各支柱のうちの前記直列に隣接する各駐車枠同士の間の各支柱は、その各駐車枠同士の間において兼用されているとともに、前記直列に隣接する各駐車枠の形状にそれぞれ則した個別の床部分を保持しており、
前記各床部分は、それぞれ宿泊施設体を備えているとともに、前記階段が兼用されるように廊下で連結されている請求項１に記載の駐車枠上部の宿泊施設。
【請求項３】
前記宿泊施設体には、ベッドとユニットバスが収容されている請求項１または請求項２に記載の駐車枠上部の宿泊施設。
【請求項４】
前記宿泊施設体は、車両の車台に搭載可能なコンテナにより形成され、前記車両の車台から前記床部分上に移載して取り付けられるようにしている請求項１〜請求項３のいずれか１つに記載の駐車枠上部の宿泊施設。
【発明の詳細な説明】
【技術分野】
【０００１】
本発明は、平面駐車場などにおける駐車枠上部の空間を利用した宿泊施設に関する。
【背景技術】
【０００２】
従来より、平面駐車場の上部の空間を利用したものとしては、車両を載せたパレットを柱に沿って昇降動させて上部の空間にも平面と合わせて２台の車両を駐車できるようにした二段式立体駐車場が知られている（特許文献１参照）。
【先行技術文献】
【特許文献】
【０００３】
【特許文献１】実開平５−８５０号公報
【発明の概要】
【発明が解決しようとする課題】
【０００４】
ところで、平面駐車場に駐車した車両の運転手が疲労や飲食店での不慮の飲酒などによって運転に支障を生じることがあり、その場合には、駐車した車の中で疲労回復やアルコール値が十分に下がるまでの休息が余儀なくされる。
【０００５】
しかし、駐車した車の中では窮屈な姿勢を強要され、運転者の負担が増して疲労回復や休息が十分に行えない。そのため、簡易であっても、休息又は宿泊のための宿泊施設をその付近で探す必要があるものの、運転者の疲労度や飲酒の度合いによっては、宿泊施設を探す手間が非常に煩わしいものとなる。
【０００６】
そこで、前記従来の平面駐車場の駐車枠上部の空間にも平面と合わせて２台の車両を駐車する二段式立体駐車場の発想を利用して、平面駐車場の駐車枠上部の空間に宿泊施設を施工することも考えられる。そして、このものによれば、休息又は宿泊のための宿泊施設を探す必要がなく、休息や睡眠を迅速に採ることが可能となる。
【０００７】
しかし、平面駐車場の規模によっては、多数の駐車枠の上部の空間に設けられる宿泊施設の施工作業は非常に大がかりなものとなる。
【０００８】
これに対し、平面駐車場の規模が小さく異形なものであれば、それぞれの駐車枠上部の空間を利用した宿泊施設の施工作業が非常にやり辛いものとなる。
【０００９】
本発明は、かかる点に鑑みてなされたものであり、その目的とするところは、施工作業が大がかりでなくコンパクトで施工し易いものとし、平面駐車場の駐車枠の上部の空間を有効利用して駐車枠上部の宿泊施設を提供することにある。
【課題を解決するための手段】
【００１０】
前記目的を達成するため、本発明では、駐車枠上部の宿泊施設として、平面駐車場に枠組みされた駐車枠に、その駐車枠に則した少なくとも四隅にそれぞれ支柱を立設し、この各支柱に、前記駐車枠の形状に則しかつ当該駐車枠に駐車した車からの乗降を可能にする高さに設定された床部分を保持する。そして、前記床部分に、枠体に囲まれた簡易で宿泊可能な宿泊施設体を設けるとともに、前記駐車枠上部の前記宿泊施設体への昇降を可能とする階段を設けることを特徴としている。
【００１１】
また、直列に隣接する複数の駐車枠を前記平面駐車場に枠組みし、前記各支柱のうちの前記直列に隣接する各駐車枠同士の間の各支柱は、その各駐車枠同士の間において兼用しているとともに、前記直列に隣接する各駐車枠の形状にそれぞれ則した個別の床部分を保持している。そして、前記各床部分は、それぞれ宿泊施設体を備えているとともに、前記階段が兼用されるように廊下で連結されていてもよい。
【００１２】
更に、前記宿泊施設体に、ベッドとユニットバスを収容していてもよい。
【００１３】
また、前記宿泊施設体を、車両の車台に搭載可能なコンテナにより形成し、前記車両の車台から前記床部分上に移載して取り付けるようにしていてもよい。
【発明の効果】
【００１４】
以上、要するに、平面駐車場の駐車枠に則した少なくとも四隅に立設した各支柱に、駐車枠の形状に則しかつ当該駐車枠に駐車した車からの乗降を可能にする高さに設定した床部分を保持し、この床部分に、枠体に囲まれた簡易で宿泊可能な宿泊施設体を一体的に設けるとともに、宿泊施設体へ昇降可能な階段を設けることで、平面駐車場の駐車枠に則したコンパクトな宿泊施設体が階段により昇降可能に床部分上に設けられることになる。これにより、宿泊施設体の施工作業がコンパクトで施工し易いものとなり、平面駐車場の駐車枠の上部の空間を有効利用して駐車枠上部の宿泊施設を提供することができる。
【００１５】
また、宿泊施設体を直列に隣接する各駐車枠の形状に則した床部分にそれぞれ個別に設け、各床部分を、直列に隣接する各駐車枠同士の間で兼用された各支柱にそれぞれ個別に保持するとともに、階段が兼用されるように廊下で連結することで、相隣なる駐車枠の宿泊施設体を、直列に隣接する各駐車枠同士の間の各支柱及び階段を兼用しつつ各支柱に保持した床部分にそれぞれ個別にコンパクトに設けることができる。これにより、直列に隣接する各駐車枠の宿泊施設体であっても、施工作業がコンパクトで施工し易いものとなり、相隣なる駐車枠の上部の空間を有効利用して駐車枠上部の宿泊施設を提供することができる。
【００１６】
更に、宿泊施設体にベッドとユニットバスを設けることで、窮屈な姿勢を強要されることなくより好適な環境でくつろぐことが可能となり、ベッドで手足を伸ばして就寝できる上、ユニットバスにゆっくり浸かって疲労回復や休息を十分に行うことができる。
【００１７】
また、車両の車台に搭載可能なコンテナによって宿泊施設体を形成し、この宿泊施設体を車両の車台から床部分上に移載して取り付けることで、平面駐車場での宿泊施設体の施工作業が不要となって車両の車台から床部分上へ移載して取り付ける作業だけで済み、宿泊施設体をより迅速に提供することができる。
【図面の簡単な説明】
【００１８】
【図１】本発明の第１の実施の形態に係る駐車枠上部の宿泊施設の正面図である。
【図２】図１の駐車枠の平面駐車場部分の平面図である。
【図３】図１の駐車枠上部の宿泊施設体を平面で示す見取り図である。
【図４】図１の駐車枠上部の宿泊施設の側面図である。
【図５】第１の実施の形態の変形例に係る駐車枠上部の宿泊施設体を平面で示す見取り図である。
【図６】図５の駐車枠上部の宿泊施設の側面図である。
【図７】本発明の第２の実施の形態に係る駐車枠上部の宿泊施設の正面図である。
【図８】図７の駐車枠の平面駐車場部分の平面図である。
【図９】図７の駐車枠上部の宿泊施設体を平面で示す見取り図である。
【図１０】第２の実施の形態の変形例に係る駐車枠の平面駐車場部分の平面図である。
【図１１】図１０の駐車枠上部の宿泊施設体を平面で示す見取り図である。
【発明を実施するための形態】
【００１９】
以下、本発明の実施の形態に係る駐車枠上部の宿泊施設を図面に基づいて説明する。
【００２０】
図１は本発明の第１の実施の形態に係る駐車枠上部の宿泊施設の正面図、図２は図１の駐車枠の平面駐車場部分の平面図をそれぞれ示している。
【００２１】
これらの図において、符号１で示す宿泊施設は、図中仮想線（一点鎖線）で示す駐車枠Ａの上部に設けられている。この駐車枠Ａは、コンクリートで舗装された平面駐車場Ｘに枠組みされている。また、宿泊施設１は、駐車枠Ａに則した四隅にそれぞれ支柱１１，１１，…が立設されているとともに、駐車枠Ａの長さ方向（車両の進入方向）の中間位置にそれぞれ支柱１１，１１が立設されている。この各支柱１１は、平面駐車場Ｘの舗装面Ｘ１に当接する大型の矩形状の鍔部１０と、この鍔部１０の下方に約５０ｃｍの深さまで埋設された埋設部分（図示せず）とを有している。
【００２２】
図３は図１の駐車枠Ａ上部の宿泊施設体を平面で示す見取り図を示している。この図３に示すように、各支柱１１の中途部には床部分１４が保持されている。この床部分１４は、駐車枠Ａの形状に則して形成され、当該駐車枠Ａに駐車した車両Ｃからの乗降を可能にする高さ（例えば２２００ｍｍ）に下端が位置するように設定されている。
【００２３】
床部分１４には、枠体１２に囲まれた簡易で宿泊可能な宿泊施設体１３が設けられている。具体的には、枠体１２は、各支柱１１を外側から囲むように取り付けられている。また枠体１２には、宿泊施設体１３の周壁部分１５の下端部が取り付けられている。この周壁部分１５の上端には、屋根部分１６の周縁部が取り付けられている。そして、周壁部分１５は、各支柱１１に固定されているとともに、屋根部分１６も各支柱１１の上端に固定されている。また、駐車枠Ａの長さ方向に並ぶ各支柱１１，１１の下部同士は、ターンバックルを使用した丸棒筋交い１７，１７により対角線上に連結され、効果的な強度アップが図られている。
【００２４】
周壁部分１５の長手方向で対面する一側面（図３では上側面）には扉１８が設けられている一方、他側面（図３では下側面）には腰窓１９が設けられている。また、宿泊施設体１３には、その床部分１４の他側に設置されたベッド２１と、床部分１４の一側に設置されたユニットバス２２とが収容されている。更に、床部分１４の他側には、机２３と椅子２４とがセッティングされている。また、ベッド２１とユニットバス２２との間には、衣装タンス２５がセッティングされている。
【００２５】
図４は図１の駐車枠Ａ上部の宿泊施設１の側面図を示している。図４に示すように、宿泊施設体１３の短手方向の一側（図４では手前側）には、駐車枠Ａ上部の宿泊施設体１３への昇降を可能とする階段２６が設けられている。また、床部分１４は、周壁部分１５の長手方向の一側（図４では右側）の外方へ駐車枠Ａを越えて延長された廊下２７を備えている。この廊下２７の一端には階段２６の上端が連結され、駐車枠Ａに車両Ｃを駐車した運転者が階段２６を上り廊下２７を経て扉１８から宿泊施設体１３の内部へ入れるようになっている。
【００２６】
したがって、本実施の形態では、平面駐車場Ｘの駐車枠Ａの形状に則した四隅と駐車枠Ａの長さ方向の中間位置にそれぞれ立設した各支柱１１に、駐車枠Ａの形状に則しかつ当該駐車枠Ａに駐車した車両Ｃからの乗降を可能にする高さに設定した床部分１４を保持し、この床部分１４に、枠体１２に囲まれた簡易で宿泊可能な宿泊施設体１３が設けられているとともに、宿泊施設体１３へ昇降可能な階段２６が設けられているので、平面駐車場Ｘの駐車枠Ａに則したコンパクトな宿泊施設体１３が階段２６により昇降可能に床部分１４に設けられることになる。これにより、宿泊施設体１３の施工作業がコンパクトで施工し易いものとなり、平面駐車場Ｘの駐車枠Ａの上部の空間を有効利用して駐車枠Ａ上部の宿泊施設１を提供することができる。
【００２７】
更に、宿泊施設体１３にベッド２１とユニットバス２２が収容されているので、窮屈な姿勢を強要されることなくより好適な環境でくつろぐことが可能となり、ベッド２１で手足を伸ばして就寝できる上、ユニットバス２２にゆっくり浸かって疲労回復や休息を十分に行うことができる。
【００２８】
なお、本実施の形態では、床部分１４に駐車枠Ａを越えて延長した廊下２７を設けたが、図５及び図６に示すように、床部分１４は、駐車枠Ａを越えて延長することなくその一側部分が廊下２７として構成されていてもよい。具体的には、床部分１４の一側部分に廊下２７を設け、この廊下２７を除く床部分１４の残った部分に枠体３２を設け、枠体３２に囲まれた宿泊施設体３３が設けられていてもよい。この場合、宿泊施設体３３には、ベッド２１とユニットバス２２との間の衣装タンス２５が机と椅子との代わりに床部分１４の他側にセッティングされている。
【００２９】
次に、本発明の第２の実施の形態を図面に基づいて説明する。
【００３０】
この実施の形態では、宿泊施設の構成を変更している。なお、宿泊施設を除くその他の構成は、前記第１の実施の形態と同じであり、同一部分については同じ符号を付してその詳細な説明は省略する。図７は本発明の第２の実施の形態に係る駐車枠上部の宿泊施設の正面図、図８は図７の駐車枠の平面駐車場部分の平面図、図９は図７の駐車枠上部の宿泊施設体を平面で示す見取り図をそれぞれ示している。
【００３１】
すなわち、本実施の形態では、図７〜図９に示すように、平面駐車場Ｘには直列に隣接する３つの駐車枠Ａ１〜Ａ３が枠組みされている。また、各支柱１１のうちの各駐車枠Ａ１〜Ａ３同士の間の各支柱１１は、それぞれの各駐車枠Ａ１〜Ａ３同士の間において兼用されているとともに、各駐車枠Ａ１〜Ａ３の形状にそれぞれ則した個別の床部分４１，４１，４１をそれぞれ中途部において保持している。各床部分４１は、駐車枠Ａ１〜Ａ３に駐車した車両Ｃからの乗降を可能にする高さ（例えば２２００ｍｍ）に下端が位置するように設定されている。
【００３２】
各床部分４１には、それぞれ枠体４２に囲まれた簡易で宿泊可能な宿泊施設体４３が設けられている。具体的には、各枠体４２は、各支柱１１の中途部に取り付けられ、各駐車枠Ａ１〜Ａ３同士の間において各支柱１１の中途部に取り付けられて兼用される枠体兼用部分４４を備えている。そして、各床部分４１には、枠体４２及び枠体兼用部分４４に囲まれた宿泊施設体４３が設けられている。
【００３３】
また、各枠体４２には、各宿泊施設体４３の周壁部分４５の下端部が取り付けられている。各宿泊施設体４３の周壁部分４５は、各宿泊施設体４３毎に一体化された屋根部分４６に上端が取り付けられ、各駐車枠Ａ１〜Ａ３同士の間において枠体兼用部分４４に下端部が取り付けられて兼用される周壁兼用部分４７を備えている。この周壁兼用部分４７も屋根部分４６に上端が取り付けられている。そして、各宿泊施設体４３の周壁部分４５及び周壁兼用部分４７は、各支柱１１に固定されているとともに、屋根部分４６も各支柱１１の上端に固定されている。
【００３４】
各宿泊施設体４３の周壁部分４５の長手方向で対面する一側面（図９では上側面）にはそれぞれ扉１８が設けられている一方、他側面（図９では下側面）にはそれぞれ腰窓１９が設けられている。また、各宿泊施設体４３には、それぞれの床部分４１，４１，４１の他側に設置されたベッド２１と、それぞれの床部分４１，４１，４１の一側に設置されたユニットバス２２とが収容されている。更に、各宿泊施設体４３の床部分４１の他側には、机２３と椅子２４とがセッティングされている。また、ベッド２１とユニットバス２２との間には、衣装タンス２５がセッティングされている。
【００３５】
宿泊施設４の幅方向の両側（図７及び図９では左右両側）には、駐車枠Ａ１〜Ａ３上部の各宿泊施設体４３への昇降を可能とする階段２６，２６が設けられている。また、各宿泊施設体４３の床部分４１は、周壁部分４５の長手方向の一側（図９では上側）の外方へ駐車枠Ａ１〜Ａ３を越えてそれぞれ延長された廊下２７，２７，２７を備えている。これらの廊下２７，２７，２７は、一体化され、宿泊施設４の幅方向の両側端において各階段２６の上端が連結され、駐車枠Ａ１〜Ａ３に車両Ｃを駐車した運転者が階段２６，２６を上り廊下２７を経て扉１８から宿泊施設体４３，４３，４３の内部へ入れるようになっている。
【００３６】
したがって、本実施の形態では、宿泊施設体４３が直列に隣接する３つの各駐車枠Ａ１〜Ａ３の形状に則した床部分４１，４１，４１にそれぞれ個別に設けられ、直列に隣接する各駐車枠Ａ１〜Ａ３同士の間で兼用された各支柱１１にそれぞれ個別に各床部分４１が保持され、宿泊施設体４３，４３，４３をそれぞれ個別に囲むように各支柱１１の中途部に各枠体４２及び枠体兼用部分４４が取り付けられ、各枠体４２及び枠体兼用部分４４に周壁部分４５及び周壁兼用部分４７の下端部が取り付けられ、更に、階段２６が兼用されるように廊下２７で連結されている。このため、相隣なる駐車枠Ａ１〜Ａ３の各宿泊施設体４３を、直列に隣接する各駐車枠Ａ１〜Ａ３同士の間の各支柱１１及び階段２６を兼用しつつ各支柱１１に保持した床部分４１，４１，４１にそれぞれ個別にコンパクトに設けることができる。これにより、直列に隣接する各駐車枠Ａ１〜Ａ３の宿泊施設体４３，４３，４３であっても、施工作業がコンパクトで施工し易いものとなり、相隣なる駐車枠Ａ１〜Ａ３の上部の空間を有効利用して駐車枠Ａ１〜Ａ３上部の宿泊施設４を提供することができる。
【００３７】
なお、本実施の形態では、各宿泊施設体４３の床部分４１に駐車枠Ａ１〜Ａ３を越えて延長した廊下２７をそれぞれ設けたが、図１０及び図１１に示すように、各宿泊施設体４３の床部分４１は、駐車枠Ａ１〜Ａ３を越えて延長することなくその一側部分が廊下２７として構成されていてもよい。具体的には、各宿泊施設体４３の床部分４１の一側部分に廊下２７をそれぞれ設け、これらの廊下２７を除く床部分４１，４１，４１の残った部分に各枠体４２及び枠体兼用部分４４をそれぞれ設け、各枠体４２及び枠体兼用部分４４に囲まれた宿泊施設体４３がそれぞれ設けられていてもよい。この場合、宿泊施設体４３には、ベッド２１とユニットバス２２との間の衣装タンス２５の代わりに衣装ハンガー４８が周壁部分４５又は周壁兼用部分４７の他側に設置されている。
【００３８】
また、前記各実施の形態では、支柱１１の中途部に床部分１４，４１を保持し、この床部分１４，４１に枠体１２又は枠体４２及び枠体兼用部分４４の下端部を取り付けたが、宿泊施設体を枠体に囲まれて車両の車台に搭載可能なコンテナにより形成し、車両の車台から床部分上にクレーン等により吊下するなどして移載して取り付けられるようにしてもよい。この場合には、平面駐車場での宿泊施設体の施工作業が不要となって車両の車台から床部分上へ移載して取り付ける作業だけで済み、宿泊施設体をより迅速に提供することができる。
【符号の説明】
【００３９】
１          宿泊施設
１１        支柱
１３        宿泊施設体
１４        床部分
２１        ベッド
２２        ユニットバス
２６        階段
２７        廊下
４          宿泊施設
４１        床部分
４３        宿泊施設体
Ａ          駐車枠
Ａ１〜Ａ３  駐車枠
Ｘ          平面駐車場
【図１】
2019105114.tif 000003
【図２】
2019105114.tif 000004
【図３】
2019105114.tif 000005
【図４】
2019105114.tif 000006
【図５】
2019105114.tif 000007
【図６】
2019105114.tif 000008
【図７】
2019105114.tif 000009
【図８】
2019105114.tif 000010
【図９】
2019105114.tif 000011
【図１０】
2019105114.tif 000012
【図１１】
2019105114.tif 000013